(57)【特許請求の範囲】
【請求項１】
収納庫(10)に内部画成した収納室(18)の幅方向に対向する両内側壁(19,19)に夫々配設され、貯蔵品を収容したトレイ(22a,22b)が載置される収納庫用の棚受であって、
本体としての係止部(50a)に折曲形成されて、前記収納室(18)の内側壁側から内側に向かうにつれて所要高低差で段々に低くなるよう設けられ、幅寸法の異なるトレイ(22a,22b)が水平に載置される複数の設置部(50b,50c)と、
前記各設置部(50b,50c)の内側壁側に設けられ、各設置部(50b,50c)に載置されるトレイ(22a,22b)の幅方向への移動を規制する規制部(50e,50f)と、
幅寸法の最小のトレイ(22b)が載置される設置部(50c)の後端に立設され、各設置部(50b,50c)に載置される各トレイ(22a,22b)の後方への移動を規制するストッパ(50d)とから構成した
ことを特徴とする収納庫用の棚受。
【請求項２】
前記係止部(50a)の上縁に、その全長に亘って内側に向けて水平に延出する前記規制部としての上縁部(50e)が折曲形成されている請求項１記載の収納庫用の棚受。
【請求項３】
前記ストッパ(50d)は、前記上縁部(50e)より上方に延出するよう寸法設定され、該上縁部(50e)に水平に載置された棚網の後方への移動を規制する請求項２記載の収納庫用の棚受。
【発明の詳細な説明】
【０００１】
【発明の属する技術分野】
この発明は、収納庫用の棚受に関し、更に詳細には、貯蔵品を収容した幅寸法の異なるトレイを、その移動を規制した状態で載置し得る収納庫用の棚受に関するものである。
【０００２】
【従来の技術】
冷蔵庫や冷凍庫等の収納庫においては、食品や飲料品等の貯蔵品を収容したトレイ(容器)を、そのまま庫内に収納できるようになっている。その収納構造を図６および図７を参照して説明すれば、収納庫６０における庫内６２の幅方向に対向する両内側壁６４,６４の夫々に、前後方向に離間して複数(例えば２本)の棚柱７０,７０が、該庫内６２の略全高に亘って取付けられている。この棚柱７０には、その上下方向に所定間隔で複数の係止孔７２が設けられており、この係止孔７２を利用して後述の棚受７４が係止されるよう構成してある。
【０００３】
前記棚受７４は、正面Ｌ字形状に形成されると共に、同一内側壁６４に配設された２本の棚柱７０,７０の離間長さよりも長尺に設定されたものであって、その垂直面における各棚柱７０と対応する位置には、前記係止孔７２に係止可能な係止爪７６が形成されている。この棚受７４は、各係止爪７６を対応する係止孔７２に係止することで、その水平部を庫内側に水平に延出した姿勢で棚柱７０,７０の所定高さ位置に取付けられる。そして、対向する内側壁６４,６４に配設された棚柱７０,７０の同一高さ位置に取付けられた幅方向に対向する一対の棚受７４,７４に、図７に示すようにしてトレイ８０が載置される。
【０００４】
【発明が解決しようとする課題】
前記棚受７４は、正面Ｌ字状に形成されているだけのものであるため、一対の棚受７４,７４に載置されたトレイ８０は、庫内６２の前後方向に容易に移動してしまう。このため、トレイ８０や貯蔵品の出入れに際して作業者が他のトレイ８０に触れた際や、収納庫６０を移動する際に該トレイ８０が移動し、トレイ８０に収容されている貯蔵品が転倒して内容物がこぼれたり、あるいはトレイ８０と棚受７０が擦れて損傷することもある。また、トレイ８０が庫内６２の背面側内壁や冷却ダクト等に接触し、内壁や冷却ダクトの表面に生じている結露水が該トレイ８０に入ってしまい、衛生上好ましくない状態となる問題がある。
【０００５】
なお収納庫６０では、幅寸法の異なるトレイ８０を収納する要請があり、従来はトレイ８０の変更に際しては、対応的に棚受７４を交換していた。しかしこの場合には、各種トレイ８０に対応する棚受７４を夫々用意する必要があり、部品点数が増えると共に保管管理が煩雑となる。そこで、トレイ８０が載置される棚受７４,７４の水平部の寸法を、最小幅寸法のトレイ８０を載置し得る値に設定することで、同一の棚受７４,７４を用いて各種トレイ８０を載置することが可能となる。しかしながら、幅寸法の小さなトレイ８０ではその側面と庫内６２の内側壁６４との間には大きな隙間ができてしまい、該トレイ８０が幅方向に容易に移動する。従って、前述したと同様にトレイ８０が移動した際に、該トレイ８０に収容されている貯蔵品が転倒して内容物がこぼれたり、あるいはトレイ８０と棚受７０が擦れて損傷する問題を招く。更には、一方の棚受け７４からトレイ８０が脱落してしまうおそれもある。
【０００６】
【発明の目的】
本発明は、前述した従来の技術に内在している前記課題に鑑み、これを好適に解決するべく提案されたものであって、幅寸法の異なるトレイの夫々を、その移動を規制した状態で載置し得る収納庫用の棚受を提供することを目的とする。
【０００７】
【課題を解決するための手段】
前記課題を克服し、所期の目的を好適に達成するため本発明は、
収納庫に内部画成した収納室の幅方向に対向する両内側壁に夫々配設され、貯蔵品を収容したトレイが載置される収納庫用の棚受であって、
本体としての係止部に折曲形成されて、前記収納室の内側壁側から内側に向かうにつれて所要高低差で段々に低くなるよう設けられ、幅寸法の異なるトレイが水平に載置される複数の設置部と、
前記各設置部の内側壁側に設けられ、各設置部に載置されるトレイの幅方向への移動を規制する規制部と、
幅寸法の最小のトレイが載置される設置部の後端に立設され、各設置部に載置される各トレイの後方への移動を規制するストッパとから構成したことを特徴とする。
【０００８】
【発明の実施の形態】
次に、本発明に係る収納庫用の棚受につき、好適な実施例を挙げて、添付図面を参照しながら以下説明する。図１および図２に示す如く、実施例に係る冷蔵収納庫(以下、収納庫という)１０は、内箱１２、断熱材１４および外箱１６からなる断熱箱体１７の内部に収納室１８が画成されると共に、この収納室１８を開閉可能に閉成する断熱扉２０が箱体前面に配設されている。収納室１８の内部上方には、冷却器３４および冷却ファン３６等からなる上部冷却機構３０が配置され、また収納室１８の外部下方には、圧縮機３８や凝縮器３９等からなる下部冷却機構３２が配置されている。そして、冷却ファン３６の運転によって、収納室１８の背面側に配設された冷却ダクト４０を介して背面下部から引込まれた室内空気は、冷却器３４で冷却された後に室内前側に吹出されて、該収納室１８内を冷却するようになっている。
【０００９】
前記収納室１８内には、食品や飲料品等の貯蔵品を収容したトレイ２２ａ,２２ｂを水平に載置する棚受５０,５０が、上下方向に所定間隔で複数配置されている。この棚受５０は、前記収納室１８の幅方向に対向する両内側壁１９,１９の所定位置に取付けられた複数の棚柱２４(実施例では、片側２本)に係止されることで取付けられるようになっている。すなわち、収納室１８の各内側壁１９に、図１に示す如く、前後方向に所定間隔で２本の棚柱２４,２４が垂直に夫々配設され、各棚柱２４には上下方向に所定間隔で複数の係止孔２６が形成されている。そして、同一平面内にある係止孔２６,２６に、棚受５０が係止されるよう構成される。
【００１０】
前記棚受５０は、図３および図４に示す如く、幅方向左右の両内側壁１９,１９に配設された前記棚柱２４,２４に合わせて、左用と右用の２種類があり、夫々が対応した棚柱２４,２４の所定位置に対応的に係止されることで、幅方向に対向する一対の棚受５０,５０に前記トレイ２２ａ,２２ｂが水平に載置されるようになっている。右用の棚受５０および左用の棚受５０の構造は同じであるので、ここでは右用の棚受５０の構造について説明し、左用の棚受５０の同一部材には同じ符号を付して示すこととする。
【００１１】
前記棚受５０は、図２に示す如く、一対の棚柱２４,２４の離間幅よりも充分に長く、かつ収納室１８の奥行寸法より短かい長さに設定された本体としての係止部５０ａに、各棚柱２４と対応する位置に係止爪５２が夫々配設されている。この係止爪５２は、係止部５０ａの内側壁１９と対向する裏面に下向きに突出するように設けられ、各係止爪５２を対応する係止孔２６に嵌合するよう係止させることで、係止部５０ａが棚柱２４の表面(内側面)に当接した状態で当該棚受５０が棚柱２４,２４に取付けられる(図４参照)。なお、係止爪５２の棚柱２４に対する係止位置を変えることにより、棚受５０の取付け高さ位置を自在に変え得るようになっている。
【００１２】
前記係止部５０ａの下端には、その全長に亘って収納室１８の内側に向かって水平に延出する第１設置部(設置部)５０ｂが折曲形成されると共に、この第１設置部５０ｂの開放端から下方に向けて規制部としての垂直部５０ｆが折曲形成されている。また垂直部５０ｆの下端に、収納室１８の内側に向かって水平に延出する第２設置部(設置部)５０ｃが折曲形成される。すなわち棚受５０には、図４および図５に示す如く、第１設置部５０ｂおよび第２設置部５０ｃが、収納室１８の内側壁側から内側に向かうにつれて所要高低差で段々に低くなる状態で形成される。そして、左右の棚柱２４,２４の同一高さ位置に取付けた左右一対の棚受５０,５０において、図３に示す如く、第１設置部５０ｂ,５０ｂ上には幅寸法の大きなトレイ２２ａが水平に載置され、また第２設置部５０ｃ,５０ｃ上には幅寸法の小さなトレイ２２ｂが水平に載置されるようになっている。
【００１３】
なお、第１設置部５０ｂおよび第２設置部５０ｃの幅寸法は、そこに載置されるトレイ２２ａ,２２ｂを安定的に保持し得る程度に設定される。また第１設置部５０ｂの幅寸法については、対をなす第２設置部５０ｃ,５０ｃに載置された小さいトレイ２２ｂが、幅方向に対向する垂直部５０ｆ,５０ｆにより幅方向への移動が規制される値に設定される。
【００１４】
前記第２設置部５０ｃの後端部には、前記第１設置部５０ｂより上方に延出する高さ寸法のストッパ５０ｄが立設され、第２設置部５０ｃおよび第１設置部５０ｂに載置されるトレイ２２ａ,２２ｂの後方への移動を規制し得るよう構成される。また前記係止部５０ａの上縁には、その全長に亘って内側に向けて水平に延出する規制部としての上縁部５０ｅが折曲形成されており、これにより当該棚受５０のねじれ等の力に対する剛性を確保すると共に、前記第１設置部５０ｂに載置されるトレイ２２ａの幅方向の移動を規制し得るようになっている。なお、上縁部５０ｅの係止部５０ａから内側への延出長さは、第１設置部５０ｂに載置されるトレイ２２ａの幅寸法に応じて設定されると共に、その幅寸法によっては省略することも可能である。そして上縁部５０ｅを省略した場合は、係止部５０ａがトレイ２２ａの幅方向への移動を規制する規制部として機能する。また、当該棚受５０における幅寸法の最小のトレイ２２ｂが載置される最内側の第２設置部５０ｃの前端角部は、図２に示す如く、所定曲率の弧状に形成してある。
【００１５】
【実施例の作用】
次に、前述した実施例に係る収納庫用の棚受の作用につき説明する。前記収納室１８における左右両内側壁１９,１９に配設されている棚柱２４,２４の同一の高さ位置に、前記係止爪５２および係止孔２６を介して一対の棚受５０,５０を係止する。この場合、左右一対の棚受５０,５０の高さ位置は同一となっているから、図３に示す如く、前記第１設置部５０ｂ,５０ｂおよび第２設置部５０ｃ,５０ｃの高さも同一となっている。
【００１６】
前記収納室１８に幅寸法の大きなトレイ２２ａを収納する場合は、該トレイ２２ａは、図３に示す如く、一対の棚受５０,５０の第１設置部５０ｂ,５０ｂ上に載置される。このトレイ２２ａの幅方向への移動は、前記上縁部５０ｅ,５０ｅにより規制される。またトレイ２２ａの後方への移動は、前記ストッパ５０ｄ,５０ｄにより規制されて、該トレイ２２ａの後端が収納室１８の背面側に形成されている冷却ダクト４０の表面に接触することはない。すなわち、棚受５０,５０に載置されているトレイ２２ａの幅および後方への移動は規制されているから、収納庫１０の移動時あるいはトレイ２２ａや貯蔵品等の出入れに際して、トレイ２２ａが移動して収容されている貯蔵品が転倒して内容物がこぼれるのを防止し得ると共に、前記冷却ダクト４０の表面に生じている結露水のトレイ２２ａへの流入を防止し得る。また棚受５０,５０に対してトレイ２２ａは容易に移動しないから、両者が擦れて損傷することもない。
【００１７】
次に、幅寸法の小さなトレイ２２ｂを収納室１８に収納する場合は、該トレイ２２ｂは、図３に示す如く、一対の棚受５０,５０の第２設置部５０ｃ,５０ｃ上に載置される。そして、このトレイ２２ｂの後方への移動は前記ストッパ５０ｄ,５０ｄで規制されると共に、その幅方向への移動は、前記垂直部５０ｆ,５０ｆにより規制される。従って、この小さなトレイ２２ｂの場合も前述した大きなトレイ２２ａの場合と同様に、該トレイ２２ｂが移動することにより発生する問題を未然に解決し得る。なお、実施例の棚受５０,５０には、トレイ２２ａ,２２ｂに代えて、その上縁部５０ｅ,５０ｅに棚網を水平に載置することが可能である。この場合においても、前記ストッパ５０ｄ,５０ｄは上縁部５０ｅ,５０ｅより上方に延出するよう寸法設定されているから、上縁部５０ｅ,５０ｅに水平に載置された棚網の後方への移動を該ストッパ５０ｄ,５０ｄで規制し得る。
【００１８】
すなわち、実施例の棚受５０は、幅寸法の異なる複数のトレイ２２ａ,２２ｂを、その移動を規制した状態で水平に載置することができ、部品点数を低減し得ると共に保管管理等を簡略化し得る。しかも、棚受５０は階段状に形成されることで折曲げ部が多く設けられており、これによって棚受自体の強度が向上している。
【００１９】
なお、実施例では棚受を収納室を冷却する収納庫に取付ける場合で説明したが、本願はこれに限定されるものでなく、収納室を加温する温蔵庫、あるいは冷却または加温しない収納庫であってもよい。またトレイが載置される設置部については、実施例のように２つに限定されず、３つ以上であってもよい。
【００２０】
【発明の効果】
以上説明した如く、本発明に係る収納庫の棚受では、幅寸法の異なる複数のトレイを、その移動を規制した状態で水平に載置することができ、トレイの幅寸法毎に対応した棚受けを用意する必要はなく、部品点数を低減し得ると共に保管管理等を簡略化し得る。また棚受に載置された寸法の異なる全てのトレイの幅方向への移動を規制し得るから、トレイに収容されている貯蔵品が転倒するのを防止し得る。更に、棚受に対してトレイは容易に移動しないから、両者が擦れて損傷することも防ぐことができる。
【００２１】
また、幅寸法の最小のトレイが載置される設置部の後端にストッパを立設することで、棚受けに載置された寸法の異なる全てのトレイの後方への移動を規制することができ、収納室で発生した結露水等がトレイに流入するのを防止し得る。更に、係止部の上縁には、その全長に亘って内側に向けて水平に延出する規制部としての上縁部が折曲形成され、これにより当該棚受のねじれ等の力に対する剛性を確保すると共に、設置部に載置されるトレイの幅方向の移動を規制し得る。更にまた棚受には、トレイに代えて、その上縁部に棚網を水平に載置することが可能である。この場合においても、ストッパは上縁部より上方に延出するよう寸法設定されているから、上縁部に水平に載置された棚網の後方への移動をストッパで規制し得る。
【図面の簡単な説明】
【図１】  本発明の好適な実施例に係る棚受を使用した冷蔵収納庫の側断面図である。
【図２】  実施例に係る棚受を使用した冷蔵収納庫の平断面図である。
【図３】  冷蔵収納庫に係止された棚受上に大きさの異なるトレイを載置した状態を示す概略図である。
【図４】  実施例に係る棚受と棚柱との係止部付近を拡大して示す概略図である。
【図５】  実施例に係る右用の棚受を示す概略斜視図である。
【図６】  従来の技術に係る棚受上にトレイを載置した状態を示す概略図である。
【図７】  従来の技術に係る棚受と棚柱との係止部付近を拡大して示す概略図である。
【符号の説明】
１０  冷蔵収納庫(収納庫)
１８  収納室
１９  内側壁
２２ａ  大きなトレイ
２２ｂ  小さなトレイ
５０ｂ  第１設置部(設置部)
５０ｃ  第２設置部(設置部)
５０ｄ  ストッパ
５０ｅ  上縁部(規制部)
５０ｆ  垂直部(規制部)
【図１】
0003635993.tif 000002
【図２】
0003635993.tif 000003
【図３】
0003635993.tif 000004
【図４】
0003635993.tif 000005
【図５】
0003635993.tif 000006
【図６】
0003635993.tif 000007
【図７】
0003635993.tif 000008